【手続補正書】
【提出日】平成24年9月18日(2012.9.18)
【手続補正１】
【補正対象書類名】特許請求の範囲
【補正対象項目名】全文
【補正方法】変更
【補正の内容】
【特許請求の範囲】
【請求項１】
記録ヘッドにより記録媒体に記録を行う記録機構部を制御する記録制御装置において、  外部から入力されるデータを展開して、記録用のイメージデータを生成するイメージ展開部と、
前記イメージ展開部により生成されたイメージデータを一時的に記憶するイメージバッファーメモリーと、
前記イメージバッファーメモリーに記憶されたイメージデータを読み出し、前記記録機構部を制御して、前記読み出したイメージデータを記録ヘッドにより記録媒体に記録させる記録制御部と、を備え、
前記記録制御部は、前記イメージ展開部における前記イメージデータの生成速度に基づいて、前記記録機構部の記録速度を制御すること、
を特徴とする記録制御装置。
【請求項２】
前記イメージ展開部は、前記イメージデータを生成して、生成したイメージデータを予め設定されたジョブ単位で前記イメージバッファーメモリーに出力し、
前記記録制御部は、前記イメージ展開部から前記イメージバッファーメモリーにジョブが出力される間隔に基づいて、前記記録機構部の記録速度を制御すること、を特徴とする請求項１記載の記録制御装置。
【請求項３】
前記記録制御部は、前記イメージ展開部から前記イメージバッファーメモリーにジョブが出力される毎に、前記ジョブの前のジョブが出力されてからの間隔を求め、この間隔に基づいて前記ジョブの記録時における記録速度を制御すること、を特徴とする請求項２記載の記録制御装置。
【請求項４】
前記記録制御部は、前記ジョブの記録時における記録速度を、前記ジョブの前のジョブの記録時における記録速度より所定以上の幅で増大または低減させる場合には、前記ジョブの前のジョブの記録速度も増大または低減させること、を特徴とする請求項３記載の記録制御装置。
【請求項５】
前記イメージ展開部は、生成したイメージデータを、前記記録機構部が記録する少なくとも１行あるいは少なくとも１ドットラインに相当するジョブを単位として前記イメージバッファーメモリーに出力すること、を特徴とする請求項２から４のいずれかに記載の記録制御装置。
【請求項６】
記録媒体に記録を行う記録ヘッドを有する記録機構部と、
外部から入力されるデータを展開して、記録用のイメージデータを生成するイメージ展開部と、
前記イメージ展開部により生成されたイメージデータを一時的に記憶するイメージバッファーメモリーと、
前記イメージバッファーメモリーに記憶されたイメージデータを読み出し、前記記録機構部を制御して、前記読み出したイメージデータを記録ヘッドにより記録媒体に記録させる記録制御部と、を備え、
前記記録制御部は、前記イメージ展開部における前記イメージデータの生成速度に基づいて、前記記録機構部の記録速度を制御すること、
を特徴とする記録装置。
【請求項７】
前記イメージ展開部は、前記イメージデータを生成して、生成したイメージデータを予め設定されたジョブ単位で前記イメージバッファーメモリーに出力し、
前記記録制御部は、前記イメージ展開部から前記イメージバッファーメモリーにジョブが出力される間隔に基づいて、前記記録機構部の記録速度を制御すること、を特徴とする請求項６記載の記録装置。
【請求項８】
前記記録制御部は、前記イメージ展開部から前記イメージバッファーメモリーにジョブが出力される毎に、前記ジョブの前のジョブが出力されてからの間隔を求め、この間隔に基づいて前記ジョブの記録時における記録速度を制御すること、を特徴とする請求項７記載の記録装置。
【請求項９】
前記記録制御部は、前記ジョブの記録時における記録速度を、前記ジョブの前のジョブの記録時における記録速度より所定以上の幅で増大または低減させる場合には、前記ジョブの前のジョブの記録速度も増大または低減させること、を特徴とする請求項８記載の記録装置。
【請求項１０】
前記イメージ展開部は、生成したイメージデータを、前記記録機構部が記録する少なくとも１行あるいは少なくとも１ドットラインに相当するジョブを単位として前記イメージバッファーメモリーに出力すること、を特徴とする請求項７から９のいずれかに記載の記録装置。
【請求項１１】
記録ヘッドにより記録媒体に記録を行う記録機構部を制御する記録装置の制御方法であって、
外部から入力されるデータを展開して、記録用のイメージデータを生成し、生成したイメージデータを一時的にイメージバッファーメモリーに記憶し、このイメージバッファーメモリーに記憶したイメージデータを読み出し、この読み出したイメージデータを記録ヘッドにより記録媒体に記録させ、前記生成したイメージデータの生成速度に基づいて、前記記録機構部の記録速度を制御すること、
を特徴とする記録装置の制御方法。
【請求項１２】
前記生成したイメージデータを予め設定されたジョブ単位で前記イメージバッファーメモリーに出力し、前記イメージバッファーメモリーにジョブが出力される間隔に基づいて、前記記録機構部の記録速度を制御すること、を特徴とする請求項１１記載の記録装置の制御方法。
【請求項１３】
前記イメージバッファーメモリーにジョブが出力される毎に、前記ジョブの前のジョブが出力されてからの間隔を求め、この間隔に基づいて前記ジョブの記録時における記録速度を制御すること、を特徴とする請求項１２記載の記録装置の制御方法。
【請求項１４】
前記ジョブの記録時における記録速度を、前記ジョブの前のジョブの記録時における記録速度より所定以上の幅で増大または低減させる場合には、前記ジョブの前のジョブの記録速度も増大または低減させること、を特徴とする請求項１３記載の記録装置の制御方法。
【請求項１５】
前記生成したイメージデータを、前記記録機構部が記録する少なくとも１行あるいは少なくとも１ドットラインに相当するジョブを単位として前記イメージバッファーメモリーに出力すること、を特徴とする請求項１２から１４のいずれかに記載の記録装置の制御方法。
【請求項１６】
記録ヘッドにより記録媒体に記録を行う記録機構部を制御する制御部が実行するプログラムであって、
前記制御部は、外部から入力されるデータを展開して、記録用のイメージデータを生成し、生成したイメージデータを一時的にイメージバッファーメモリーに記憶し、このイメージバッファーメモリーに記憶したイメージデータを読み出し、この読み出したイメージデータを記録ヘッドにより記録媒体に記録させ、前記生成したイメージデータの生成速度に基づいて、前記記録機構部の記録速度を制御すること、
を特徴とするプログラム。
【手続補正２】
【補正対象書類名】明細書
【補正対象項目名】０００５
【補正方法】変更
【補正の内容】
【０００５】
上記目的を達成するために、本発明は、記録ヘッドにより記録媒体に記録を行う記録機構部を制御する記録制御装置において、外部から入力されるデータを展開して、記録用のイメージデータを生成するイメージ展開部と、前記イメージ展開部により生成されたイメージデータを一時的に記憶するイメージバッファーメモリーと、前記イメージバッファーメモリーに記憶されたイメージデータを読み出し、前記記録機構部を制御して、前記読み出したイメージデータを記録ヘッドにより記録媒体に記録させる記録制御部と、を備え、前記記録制御部は、前記イメージ展開部における前記イメージデータの生成速度に基づいて、前記記録機構部の記録速度を制御すること、を特徴とする。
この構成によれば、外部から入力されるデータを展開して記録用のイメージデータを生成する際の生成速度に基づいて、記録機構部による記録速度を制御するので、高負荷の処理になりやすいデータの展開に係る処理の速度と、展開されたイメージデータに基づく記録の速度との調和を図り、イメージデータの枯渇による記録動作の中断を回避できる。また、イメージデータの生成速度は、外部からデータが入力される速度とデータの展開処理の速度との両方を反映しているので、このイメージデータの生成速度に基づいて記録速度を制御すれば、確実に記録動作の中断を回避できる。さらに、イメージデータを展開する速度に基づいて記録速度を制御するので、バッファーメモリーの容量による制約を受けにくく、適切に記録速度を制御できる。
【手続補正３】
【補正対象書類名】明細書
【補正対象項目名】０００７
【補正方法】変更
【補正の内容】
【０００７】
この構成において、前記記録制御部は、前記イメージ展開部から前記イメージバッファーメモリーにジョブが出力される毎に、前記ジョブの前のジョブが出力されてからの間隔を求め、この間隔に基づいて受信した前記ジョブの記録時における記録速度を制御してもよい。
この場合、ジョブの間隔に基づいて、その直後に記録されるジョブの記録速度を制御するので、記録速度を常に最適な速度に保つことができ、継続して安定した記録動作を行う事ができる。
【手続補正４】
【補正対象書類名】明細書
【補正対象項目名】０００８
【補正方法】変更
【補正の内容】
【０００８】
また、上記構成において、前記記録制御部は、前記ジョブの記録時における記録速度を、前記ジョブの前のジョブの記録時における記録速度より所定以上の幅で増大または低減させる場合には、前記ジョブの前のジョブの記録速度も増大または低減させてもよい。
この場合、記録速度が所定以上の幅で大きく増大または低減する際には、その前のジョブの記録速度が増大または低減されるので、記録速度の極端な増減を回避し、より安定した記録動作の実現と、記録品質の向上が期待できる。
【手続補正５】
【補正対象書類名】明細書
【補正対象項目名】００１０
【補正方法】変更
【補正の内容】
【００１０】
また、本発明は、記録媒体に記録を行う記録ヘッドを有する記録機構部と、外部から入力されるデータを展開して、記録用のイメージデータを生成するイメージ展開部と、前記イメージ展開部により生成されたイメージデータを一時的に記憶するイメージバッファーメモリーと、前記イメージバッファーメモリーに記憶されたイメージデータを読み出し、前記記録機構部を制御して、前記読み出したイメージデータを記録ヘッドにより記録媒体に記録させる記録制御部と、を備え、前記記録制御部は、前記イメージ展開部における前記イメージデータの生成速度に基づいて、前記記録機構部の記録速度を制御すること、を特徴とする。
この記録装置によれば、外部から入力されるデータを展開して記録用のイメージデータを生成する際の生成速度に基づいて、記録機構部による記録速度を制御するので、高負荷の処理になりやすいデータの展開に係る処理の速度と、展開されたイメージデータに基づく記録の速度との調和を図り、イメージデータの枯渇による記録動作の中断を回避できる。また、イメージデータの生成速度は、外部からデータが入力される速度とデータの展開処理の速度との両方を反映しているので、このイメージデータの生成速度に基づいて記録速度を制御することにより、確実に記録動作の中断を回避できる。
【手続補正６】
【補正対象書類名】明細書
【補正対象項目名】００１１
【補正方法】変更
【補正の内容】
【００１１】
本発明は、記録ヘッドにより記録媒体に記録を行う記録機構部を制御する記録装置の制御方法であって、外部から入力されたデータを展開して、記録用のイメージデータを生成し、生成したイメージデータを一時的にイメージバッファーメモリーに記憶し、このイメージバッファーメモリーに記憶したイメージデータを読み出し、この読み出したイメージデータを記録ヘッドにより記録媒体に記録させ、前記生成したイメージデータの生成速度に基づいて、前記記録機構部の記録速度を制御すること、を特徴とする。
この制御方法により記録装置を制御することで、外部から入力されるデータを展開して記録用のイメージデータを生成する際の生成速度に基づいて、記録機構部による記録速度を制御するので、高負荷の処理になりやすいデータの展開に係る処理の速度と、展開されたイメージデータに基づく記録の速度との調和を図り、イメージデータの枯渇による記録動作の中断を回避できる。また、イメージデータの生成速度は、外部からデータが入力される速度とデータの展開処理の速度との両方を反映しているので、このイメージデータの生成速度に基づいて記録速度を制御すれば、確実に記録動作の中断を回避できる。さらに、イメージデータを展開する速度に基づいて記録速度を制御するので、バッファーメモリーの容量による制約を受けにくく、適切に記録速度を制御できる。
【手続補正７】
【補正対象書類名】明細書
【補正対象項目名】００１２
【補正方法】変更
【補正の内容】
【００１２】
また、本発明は、記録ヘッドにより記録媒体に記録を行う記録機構部を制御する制御部が実行するプログラムであって、前記制御部は、外部から入力されるデータを展開して、記録用のイメージデータを生成し、生成したイメージデータを一時的にイメージバッファーメモリーに記憶し、このイメージバッファーメモリーに記憶したイメージデータを読み出し、この読み出したイメージデータを記録ヘッドにより記録媒体に記録させ、前記生成したイメージデータの生成速度に基づいて、前記記録機構部の記録速度を制御すること、を特徴とする。
このプログラムを制御部により実行することで、記録装置の外部から入力されるデータを展開して記録用のイメージデータを生成する際の生成速度に基づいて、記録機構部による記録速度を制御するので、高負荷の処理になりやすいデータの展開に係る処理の速度と、展開されたイメージデータに基づく記録の速度との調和を図り、データの展開処理が間に合わないことによる記録動作の中断を回避できる。また、イメージデータの生成速度は、外部からデータが入力される速度とデータの展開処理の速度との両方を反映しているので、このイメージデータの生成速度に基づいて記録速度を制御すれば、確実に記録動作の中断を回避できる。さらに、イメージデータを展開する速度に基づいて記録速度を制御するので、バッファーメモリーの容量による制約を受けにくく、適切に記録速度を制御できる。